(57)【要約】      （修正有）【課題】ダビング等の際に、装置内部の温度上昇を抑制する技術を提供する。【解決手段】情報記録再生装置であって、第１及び第２の記録再生部と、情報を一時的に記憶するバッファメモリと、第１の記録再生部から第２の記録再生部へダビングする場合、第１の記録再生部の情報を再生させてバッファメモリへ情報信号を蓄積する第１のモードと、バッファメモリの情報を第２の記録再生部に記録する第２のモードとを切り替える制御部とを有する。また、温度検出部を有し、温度検出部により検出された温度に対応して、第１のモード時の第２の記録再生部の動作及び第２のモード時の第１の記録再生部の動作を変える。【選択図】図２
2008027567.tif 000002
【特許請求の範囲】
【請求項１】
情報記録再生装置であって、
第１及び第２の記録再生部と、
情報を一時的に記憶するバッファメモリと、
前記第１の記録再生部から前記第２の記録再生部へダビングする場合、前記第１の記録再生部の情報を再生させて前記バッファメモリへ情報信号を蓄積する第１のモードと、前記バッファメモリの情報を前記第２の記録再生部に記録する第２のモードとを切り替える制御部とを有する情報記録再生装置。
【請求項２】
請求項１の情報記録再生装置であって、
前記第１のモード時は前記第２の記録再生部を記録状態及び再生状態よりも低消費電力状態とし、前記第２のモード時は前記第１の記録再生部を記録状態及び再生状態よりも低消費電力状態とする情報記録再生装置。
【請求項３】
請求項１の情報記録再生装置であって、
温度検出部を有し、
前記温度検出部により検出された温度に対応して、前記第１のモード時の前記第２の記録再生部の動作及び前記第２のモード時の前記第１の記録再生部の動作を変える情報記録再生装置。
【請求項４】
請求項３記載の情報記録再生装置であって、
前記温度検出部により検出された温度が第１の温度より低い場合は前記第１のモード時に前記第２の記録再生部で記録させ、前記第２のモード時に前記第１の記録再生部で再生させ、
前記第１の温度より高い場合は前記第１のモード時に前記第２の記録再生部を低消費電力状態とし、前記第２のモード時の前記第１の記録再生部の動作モードを低消費電力状態とする情報記録再生装置。
【請求項５】
請求項３又は４の情報記録再生装置であって、
前記温度検出部により検出された温度が第２の温度以上の場合は前記第１の記録再生部及び前記第２の記録再生部の記録及び再生を停止する情報記録再生装置。
【請求項６】
再生部で再生した情報を記録部で記録する情報記録再生装置であって、
前記再生部で再生した情報を一時的に記憶するバッファメモリと、
前記再生部で情報を再生して前記バッファメモリに記憶させた後、前記再生部の再生を待機させて前記バッファメモリに記憶した情報を前記記録部で記録させる制御部とを有する情報記録再生装置。
【請求項７】
請求項６の情報記録再生装置であって、
当該情報記録装置内の温度を検知する温度検知部を有し、
前記温度検知部で所定以下の温度を検知しているときには、前記制御部は、前記再生部で情報を再生させつつ前記記録部で情報を記録し、
前記温度検知部所定以上の温度を検知しているときには、前記制御部は、前記再生部で情報を再生して前記バッファメモリに記憶させた後、前記再生部の再生を待機させて前記バッファメモリに記憶した情報を前記記録部で記録させる情報記録再生装置。
【請求項８】
情報記録再生装置が実行するデータ移動方法であって、
当該情報記録再生装置内が所定以下の温度のときには、データを再生且つ記録させ、
当該情報記録再生装置内が所定以上の温度のときには、データの再生と記録とを交互に実行させるデータ移動方法。
【発明の詳細な説明】
【技術分野】
【０００１】
技術分野は、情報記録再生装置に関する。特に、二つ以上の記録再生部を備え、一方の記録再生部に記録されているデータを他方の記録再生手段にデータ移動（ダビングなど）の機能を有する情報記録再生装置に関する。
【背景技術】
【０００２】
近年、テレビ放送を録画する据置き型録画機市場ではＤＶＤ（Digital Versatile Disc
）レコーダが飛躍的な成長を示している。特に、ＨＤＤ（Hard Disc Drive）とＤＶＤを
共に備えたＨＤＤ＆ＤＶＤレコーダはその利便性の高さから急速に普及している。ＨＤＤ＆ＤＶＤレコーダの特徴は、録画したい番組をＨＤＤに録画し、気に入った番組だけをＤＶＤにダビングするなど用途に応じて記録メディアを選ぶことが可能なことにある。
【０００３】
このようなダビング機能の従来技術として、特許文献１記載の技術が提案されている。特許文献１記載の従来技術では、課題として、「デジタル映像データあるいはデジタル音
声データの高速ダビングの際に、ダビング状況をモニタすることができる信号処理装置を得る。」と記載され、解決手段として、「デジタルデータとしてＭＰＥＧのシステムスト
リームが記憶されている第１の記憶装置１０１と、デジタルデータとしてＭＰＥＧのシステムストリームを記憶する第２の記憶装置１０２と、上記第１の記憶装置１０１から読み出されたシステムストリームに対して復号化処理を施す復号部１０３とを備え、該復号部１０３を、第１の記憶装置１０１から第２の記憶装置１０２へ、通常再生時の転送速度より高速で転送されるシステムストリームに対して、離散的な復号化処理を施すよう構成した。」と記載されている。
【０００４】
また、他の従来技術として、特許文献２記載の技術が提案されている。特許文献２記載の従来技術では、目的として、「概ね１台の記録再生用デッキの構成だけで、特に１個の
光ピックアップだけを用いて、再生用光ディスクから記録用光ディスクへのダビングを可能とする。」と記載され、構成として、「記録用の磁気ヘッド１４および記録再生用の光
学ヘッド３を用いて光ディスクに対し間欠的に記録データを書き込む記録手段７，１６と
、前記光学ヘッドを用いて光ディスクから間欠的に再生データを読み出す再生手段７，１６と、前記記録手段の待機期間に前記再生手段を用いて再生用光ディスク１Ｒから読み出した再生データを一時記憶する記憶手段９と、前記再生手段の待機期間に前記記録手段を用いて前記記憶手段に記憶されている再生データを他の記録用光ディスク１に書き込むダビング用制御手段１０，１６と、前記磁気ヘッドおよび光学ヘッドのディスクに対する位置を、再生時には少なくとも前記光学ヘッドを前記再生用光ディスク側に移動させ、また記録時には前記磁気ヘッドおよび光学ヘッドを前記記録用光ディスク側に移動させて交換するヘッド移動手段４，６，２２とを備える。」と記載されている。
【０００５】
また、他の従来技術として、特許文献３記載の技術が提案されている。特許文献３記載の従来技術では、構成として、「互いに近接して独立に回転駆動される第１・第２の記録
媒体１・２に記録再生ヘッド８を交互に移動しアクセスさせて、第１記録媒体１から再生されるデータを音声バッファメモリ１３に書き込む再生動作と、書き込まれたデータを第２記録媒体２に記録する記録動作とを交互に行って、第１記録媒体１の記録データを第２記録媒体２にダビングする。」と記載され、効果として、「記録再生ヘッド８と信号処理
回路１０とを各々共用してダビングを行うことができるので、全体の構成がより簡素なものとなり、製作費をより安価なものとすることができる。しかも、記録再生ヘッド８の移動によりアクセス媒体の切り替えが行われるので、これに要する時間は短時間で済み、より高速でのダビング処理が可能になる。」と記載されている。さらに、第８頁の００６６
段落には、「また、上記実施例においては、記録再生ヘッド８を第１記録媒体１と第２記
録媒体２とに交互にアクセスさせてダビングを行う際に、アクセスしない側の記録媒体の回転速度を、メモリ２５に記憶している速度で保持するように制御する例を挙げたが、例えば記録再生ヘッド８がアクセスしていない側の記録媒体１又は２は、次のアクセス時までの期間に応じて、その回転駆動を一旦停止し、切り替え直前に駆動を開始して、その回転速度を上記メモリ２５に記憶されている速度に合わせるような立ち上げ制御を記録媒体の切り替え毎に行うようにすることも可能である。このような制御を併用することにより、不要な電力消費が低減され、経済性を向上することが可能となる。」と記載されている。
【０００６】
【特許文献１】特開２００１−３２０６６９号公報
【特許文献２】特開平６−１５０４０４号公報
【特許文献３】特開平７−２７２４４４号公報
【発明の開示】
【発明が解決しようとする課題】
【０００７】
ところで、ビデオカメラにおいても大容量を活かし長時間記録を特徴とするＨＤＤビデオカメラや、記録媒体の持ち運びの容易性や保存性の高さを特徴とするＤＶＤビデオカメラなど使用者の用途に応じた様々な記録媒体のビデオカメラが普及している。近年では、市場のニーズは多様化、複雑化してきており、ＨＤＤやＤＶＤなど複数の記録媒体の利点を双方満たすＨＤＤドライブとＤＶＤドライブ共に内蔵したビデオカメラが有益であると考えられる。ＨＤＤ及びＤＶＤドライブ双方を内蔵したビデオカメラが登場した場合、ＨＤＤ＆ＤＶＤレコーダと同様にＨＤＤからＤＶＤまたはＤＶＤからＨＤＤにコピーまたは移動するダビング機能に対するユーザ要求は高まることが想定される。
【０００８】
一方、ビデオカメラ等の携帯型の情報記録再生装置では装置を小型化すると共に装置の発する熱の抑制が重要である。特に、ビデオカメラの様な小型の装置では装置内部の温度が上昇しやすい。このため、携帯型の情報記録再生装置に光ディスクを用いた場合、光ディスクは、記録を行うレーザーの出力パワーは温度変化による影響を受けやすく、温度上昇に伴い記録再生性能が低下するという問題がある。また、ＨＤＤについても温度上昇による性能劣化の影響を受けやすく、ダビング動作時の温度上昇を抑制することが求められる。
【０００９】
しかしながら、特許文献１記載の従来技術では、ダビング時の温度上昇については考慮されていない。このため、ビデオカメラ等の携帯型の情報記録再生装置でＨＤＤからＤＶＤへダビング動作を行う場合、ＨＤＤとＤＶＤを同時に動作させるダビング動作であるため消費電力が大きく、その結果装置内の温度上昇は大きくなってしまい、ＤＶＤやＨＤＤの記録再生性能に影響を及ぼす温度にまで上昇する場合があるという問題があった。
【００１０】
また、特許文献２記載の従来技術では、記録または再生の待機期間中に消費する電力は考慮されていない。そのため、ＨＤＤからＤＶＤへダビング動作を行う装置の場合、待機期間中も消費電力が大きく、その結果装置内の温度上昇は大きくなっていまい、ＤＶＤやＨＤＤの記録再生性能に影響を及ぼす温度にまで上昇する場合があるという問題があった。
【００１１】
ところで、ＤＶＤドライブには動作時に消費する電力が大きなものとして、ＤＶＤを回転するためのスピンドルモータの他に、ＤＶＤにデータを記録したり再生するためのレーザーを含む光ヘッド部等があり、この光ヘッド部で電力が消費するために発生する熱も装置内の温度を上昇させるので、消費電力を低減するための配慮が必要である。
【００１２】
しかしながら、特許文献３記載の従来技術では、アクセスしていない側の記録媒体は回転動作を一旦停止して消費電力を低減しているが、ＨＤＤからＤＶＤへダビング動作を行う装置の場合、記録側のＤＶＤドライブの光ヘッド部からの発熱により、装置内の温度上昇は大きくなっていまい、ＤＶＤやＨＤＤの記録再生性能に影響を及ぼす温度にまで上昇する場合があるという問題があった。
【課題を解決するための手段】
【００１３】
そこで例えば、データを一時保持するバッファメモリを設けて第１の記録再生部と第２の記録再生部とを交互に動作させてダビングする機能を備えた情報記録再生装置において
、動作していない側のドライブを低消費電力モードにすることにより、装置内の温度上昇を抑制することのできる情報記録再生装置を提供する。
【００１４】
具体的に例えば、情報記録再生装置であって、第１及び第２の記録再生部と、情報を一時的に記憶するバッファメモリと、前記第１の記録再生部から前記第２の記録再生部へダビングする場合、前記第１の記録再生部の情報を再生させて前記バッファメモリへ情報信号を蓄積する第１のモードと、前記バッファメモリの情報を前記第２の記録再生部に記録する第２のモードとを切り替える制御部とを有する情報記録再生装置。
【発明の効果】
【００１５】
上記手段によれば例えば、ユーザのデータや装置を保護することができる。
【００１６】
上記以外の、課題や手段や効果は、後述の実施形態中でも述べられる。
【発明を実施するための最良の形態】
【００１７】
以下、本発明の実施に好適な実施形態の例を、情報記録再生装置としてビデオカメラを例に挙げて説明する。ただし本発明は本実施形態に限定されない。例えば本発明は、ビデオカメラのように温度上昇に敏感な小型・携帯型の機器に特に有効であるが、据え置き型のレコーダなど他の情報記録再生装置であってもよい。また、ブロックやステップの取捨選択、ステップの順序変更も可能である。
【実施例１】
【００１８】
以下、実施例１を図１〜図６、図１２により説明する。
【００１９】
まず、実施例１におけるビデオカメラの構成例と、ダビング動作時の動作及び制御処理の流れとについて、図１、図２を用いて説明する。図１はビデオカメラのダビング動作時の処理例を示すフローチャート、図２はビデオカメラの構成例を示すブロック図である。
【００２０】
図２により、実施例１におけるビデオカメラの構成例を説明する。
【００２１】
２０１は着脱自在の光ディスク、２０２は光スピンドルモータ、２０３は光スピンドルモータ制御回路、２０４は光ヘッド部、２０５は光ヘッド制御回路、２０６は温度検出部である温度センサ、２０７は光ドライブコントローラ、２０８は光メモリ（光ディスクドライブ用の半導体メモリ）、２０９はエンコーダ／デコーダ／信号処理回路、２１０は磁
気メモリ、２１１はバッファメモリ、２１２はシステム制御部であるシステムコントローラ、２１４は圧縮伸張回路、２１５はマイク、２１６は撮像回路（ＣＣＤやＣＭＯＳ等）、２１７はダビング釦、２１８は記録釦、２１９は磁気ディスク、２２０は磁気スピンドルモータ、２２１は磁気スピンドルモータ制御回路、２２２は磁気ヘッド部、２２３は磁気ヘッド制御回路、２２４は磁気ドライブコントローラである。ここで、２０１〜２０８は第２の記録再生部である光ディスクドライブ２（ＤＶＤドライブ）、２０９、２１１〜２１８は情報信号記録再生装置３、２１０、２１９〜２２４は第１の記録再生部である磁気ディスクドライブ１（ＨＤＤ）である。なお、光ディスクとしては、ＤＶＤに限らずＢＤ（Blu-ray Disk）やＨＤ−ＤＶＤ（High Definition-DVD）であってもよい。各種釦は機械的な釦であっても、タッチパネルであってもよい。
【００２２】
光スピンドルモータ２０２に装着された光ディスク２０１は、光スピンドルモータ制御回路２０３により、所定の回転速度で回転するように制御される。光ヘッド部２０４内の対物レンズは光ヘッド制御回路２０５により、フォーカス方向及びトラッキング方向に移動可能な構造となっている。さらに、光ディスク２０１への記録再生はエンコーダ／デコーダ／信号処理回路２０９からシステムコントローラ２１２を介して、光ヘッド制御回路２０５から光ヘッド部２０４により情報信号を書き込みまたは読み出しされる。
【００２３】
また、磁気スピンドルモータ２２０に接続された磁気ディスク２１９は、磁気スピンドルモータ制御回路２２１により、所定の回転速度で回転するように制御される。磁気ヘッド部２２２は磁気ヘッド制御回路２２３により、トラッキング方向に移動可能な構造となっている。さらに、磁気ディスク２１９への記録再生はエンコーダ／デコーダ／信号処理回路２０９からシステムコントローラ２１２を介して、磁気ヘッド制御回路２２３から磁気ヘッド部２２２により情報信号を書き込みまたは読み出しされる。
【００２４】
エンコーダ／デコーダ／信号処理回路２０９は、光ディスク２０１または磁気ディスク２１９に記録再生する情報信号であるデジタルデータを、光ディスク２０１または磁気ディスク２１９の特性に適した信号に変換して記録再生を行う構成となっている。圧縮伸張処理回路２１４は映像音声信号を信号の冗長性や、人間の視覚聴覚の特性を利用することにより、記録時にはデータ圧縮を行って光ディスク２０１または磁気ディスク２１９に記録するデータ量を縮減し、再生時には圧縮されたデータを伸張して元の映像音声データに戻す処理を行う。ここで、本実施例ではＭＰＥＧ（Moving Picture Experts Group）方式による圧縮伸張を行っている。
【００２５】
次に、撮像回路２１６及びマイク２１５から取り込んだ映像音声信号を磁気ディスクドライブ１へ記録する場合について図２を用いて説明する。記録釦２１８が押されるとシステムコントローラ２１２は磁気ドライブコントローラ２２４へ起動命令を発行し、磁気スピンドルモータ制御回路２２１により磁気スピンドルモータ２２０を所定の回転速度で回転させるとともに磁気ヘッド制御回路２２３により磁気ヘッド部２２２を駆動してトラッキング方向に移動し稼動状態にすると同時に、撮像回路２１６で撮像された映像信号、およびマイク２１５で集音された音声信号を圧縮伸張処理回路２１４で圧縮後エンコーダ／デコーダ／信号処理回路２０９に入力しシステムコントローラ２１２を介してバッファメモリメモリ２１１に記録データを蓄積する。システムコントローラ２１２は、バッファメモリ２１１への記録データ蓄積量が第１の所定値であるバッファ上限値Ａ以上（例えば、１５ＭＢ以上）になった場合、バッファメモリ２１１の記録データを掃き出し、システムコントローラ２１２を介して記録データを磁気ディスクドライブ１に送り込む。磁気ドライブコントローラ２２４は、システムコントローラ２１２から発行された記録開始命令により、磁気ヘッド制御回路２２３及び磁気ヘッド部２２２を介して送り込まれた記録データを磁気ディスク２１９へ記録する記録状態(記録モード)へと磁気ディスクドライブ１を即座に遷移させ、システムコントローラ２１２より送信されてきた記録データを磁気ディスク２１９へ記録する。その後、バッファメモリ２１１の記録データ蓄積量が第２の所定値であるバッファ下限値Ｂ未満（例えば、１ＭＢ未満）になった場合、バッファメモリ２１１からの記録データの掃き出しおよび送信を終了すると共に、磁気ディスクドライブ１の磁気ドライブコントローラ２２４に対して待機命令を発行し、磁気デヘッド制御回路２２３及び磁気ヘッド部２２２の駆動及び磁気スピンドルモータ２２０を停止して低消費電力モードである待機状態とする。
【００２６】
一方、記録中は常にバッファメモリ２１１に記録データを蓄積し続けているので、再びバッファメモリ２１１への記録データ蓄積量がバッファ上限値Ａ以上になった場合、磁気ドライブコントローラ２２４は、システムコントローラ２１２から再び発行された起動及び記録開始命令を受信すると、磁気ディスクドライブ１を即座に稼動状態さらに記録状態へと遷移させ、システムコントローラ２１２より送信されてきた記録データを磁気ディスク２１９へ記録する。その後、バッファメモリ２１１の記録データ蓄積量がバッファ下限値Ｂ未満になった場合、システムコントローラ２１２から発行された待機状態へ遷移する命令によって、磁気ディスクドライブ１を待機状態へと遷移させる。以上の動作は、ユーザが記録釦２１８を再度押して記録を終了するまで繰り返される。このように、バッファメモリ２１１を使用して、磁気ディスクドライブ１を稼動状態または記録状態と待機状態を交互に繰り返すことにより間欠的に動作させているため、消費電力が低減でき、本ビデオカメラの温度上昇を抑制することができる。
【００２７】
本実施例では、光ディスクドライブ２へする場合も磁気ディスクドライブ１に記録する時と同様にバッファメモリ２１１を使用して、光ディスクドライブ２を間欠的に動作させているので、光ディスクドライブ２への記録時も消費電力が低減でき、本ビデオカメラの温度上昇を抑制することができる。また、ここで光ディスクドライブ２への記録時は、上記バッファメモリ２１１の記録データ蓄積量のバッファ上限値Ａ及びバッファ下限値Ｂは磁気ディスクドライブ１への記録時とは違う値としても構わない。
【００２８】
図１及び図２により、バッファメモリ２１１のバッファリング動作を用いたダビング動作について、磁気ディスクドライブ１から光ディスクドライブ２にダビング動作時の処理の流れ及び動作の例を説明する。
【００２９】
本ビデオカメラの電源が入の状態において、ステップ１０１において、ダビング釦２１７が押されると、ステップ１０２に遷移する。
【００３０】
ステップ１０２において、システムコントローラ２１２は磁気ドライブコントローラ２２４に対して起動命令の発行を行い、磁気ドライブコントローラ２２４は、磁気スピンドルモータ制御回路２２１により磁気スピンドルモータ２２０を所定の回転速度で回転させとともに磁気ヘッド制御回路２２３により磁気ヘッド部２２２を駆動してトラッキング方向に移動し磁気ディスクドライブ１を即座に稼動状態へと遷移させ、ステップ１０３へ遷移する。
【００３１】
ステップ１０３において、磁気ドライブコントローラ２２４は、システムコントローラ２１２から発行された再生開始命令により磁気ディスクドライブ１を再生状態（再生モード）へ遷移させ、磁気ヘッド制御回路２２３、磁気メモリ２１０等を介して磁気ディスク２１９に記録されているデータを読み取り、システムコントローラ２１２を介してバッファメモリ２１１に記録データとして蓄積し、ステップ１０４に遷移する。
【００３２】
ステップ１０４において、バッファメモリ２１１への記録データ蓄積量がバッファ上限値Ａ以上（例えば、１５ＭＢ以上）の場合、ステップ１０６に遷移する。バッファメモリ２１１への記録データ蓄積量がバッファ上限値Ａ未満の場合、ステップ１０５に遷移する。
【００３３】
ステップ１０５において、磁気ディスクドライブ１のダビングを行うデータがなくなった場合、ステップ１０６に遷移する。磁気ディスクドライブ１のダビングを行うデータがある場合には、再びステップ１０３に遷移する。
【００３４】
ステップ１０６において、システムコントローラ２１２は、磁気ディスクドライブ１の磁気ドライブコントローラ２２４に対して待機状態へ遷移させる命令を発行し、磁気デヘッド制御回路２２３及び磁気ヘッド部２２２の駆動及び磁気スピンドルモータ２２０を停止して低消費電力モードである待機状態にしステップ１０７に遷移する。
【００３５】
ステップ１０７において、システムコントローラ２１２は光ディスクドライブ２の光ドライブコンローラ２０７に対して起動命令の発行を行い、光スピンドルモータ制御回路２０３により光スピンドルモータ２０２を所定の回転速度で回転させるとともに光ヘッド制御回路２０５により光ヘッド部２０４を駆動してトラッキング方向に移動し光ディスクドライブ２を即座に稼動状態へと遷移させ、ステップ１０８に遷移する。
【００３６】
ステップ１０８において、温度センサ２０６により現在の温度を取得し、ステップ１０９に遷移する。
【００３７】
ステップ１０９において、光ドライブコントローラ２０７は、上記によって取得された現在の温度と光メモリ２０８に保存されている過去にレーザーの出力条件等の学習を終了した時点の温度とが学習の必要とする温度差であるかを判定する。ここで、上記温度差の判定によりレーザー出力条件等の学習処理の必要がある場合には，ステップ１１０に遷移しレーザーの出力条件等の学習処理を実行し、ステップ１１１に遷移する。また、上記温度差の判定によりレーザー出力条件等の学習処理の必要がない場合には，ステップ１１１に遷移する。
【００３８】
ステップ１１１において、バッファメモリ２１１に蓄積された記録データを掃き出しシステムコントローラ２１２を介して光ディスクドライブ１に送り込み、光ドライブコントローラ２０７は、システムコントローラ２１２から発行された記録開始命令により、光ヘッド部２０４のレーザパワーを記録用のパワーに上げる等を行い光ディスクドライブ２を即座に記録状態（記録モード）へと遷移させ、システムコントローラ２１２より送信されてきた記録データを光ヘッド制御回路２０５及び光ヘッド部２０４を介して光ディスク２０１へ記録し、ステップ１１２に遷移する。
【００３９】
ステップ１１２において、バッファメモリ２１１の記録データがバッファ下限値Ｂ未満（例えば、１ＭＢ未満）の場合、ステップ１１３に遷移する。また、バッファメモリ２１１の記録データがバッファ下限値Ｂ以上の場合、ステップ１１１に遷移し、バッファメモリ２１１への記録データ蓄積量がバッファ下限値Ｂ未満になるまで繰り返す。なお、ステップ１０５で磁気ディスクドライブ１のダビングを行うデータがなくなったと判定した場合は、ステップ１１２ではバッファメモリ２１１の記録データ蓄積量が０になるまで掃き出しステップ１１３に遷移する。
【００４０】
ステップ１１３において、システムコントローラ２１２は記録データの掃き出しおよび送信を終了すると共に、光ディスクドライブ１の光ドライブコンローラ２０７に対して待機状態へ遷移させる命令を発行し、光デヘッド制御回路２０５及び光ヘッド部２０４のレーザー等の駆動及び光スピンドルモータ２０３を停止して低消費電力モードである待機状態にし、ステップ１１４に遷移する。
【００４１】
ステップ１１４において、ステップ１０５で磁気ディスクドライブ１のダビングを行うデータがなくなったと判定し磁気ディスクドライブ１のダビングするデータを光ディスクドライブ２の光ディスク２０１へすべてダビングした場合は、システムコントローラ２１２はユーザが要求したデータを全てダビングしたと判定し、ダビング動作を終了する。磁気ディスクドライブ１のダビングを行うデータが残っていると判定した場合は、ステップ１０２に遷移し、磁気ディスクドライブ１のデータを読み取りダビング動作を繰り返す。
【００４２】
なお、本実施例では、動作モードとして、稼動状態（稼動モード）、再生状態（再生モード）、記録状態（記録モード）及び待機状態（待機モード）があり、稼動状態（稼動モード）、再生状態（再生モード）、記録状態（記録モード）の時を総称して動作状態という。待機モードでは、また、待機モードでは、システムコントローラ２１２との通信する機能部以外の電力（例えばスピンドルモータの駆動や光ヘッド部のレーザーの駆動等）を停止する。特に、光ディスクドライブ２の光ヘッド部２０４のレーザーの停止は、消費電力の低減や発熱（温度上昇）の抑制に効果が大きい。また、再生状態であっても例えば読取速度や回転速度を低減することで省電力又は低発熱になることも期待できる。このように省電力になる状態を待機状態と含めて省電力状態（省電力モード）と総称する。
【００４３】
本実施例では、制御ラインとしてプライマリーの１本のみ使用して磁気ディスクドライブ１をマスター、光ディスクドライブ２をスレーブとして構成している。このため、制御ラインをプライマリー、セカンダリーの２本を使用する場合に比べ制御ラインがより簡素なものとなると同時に、基板面積を小さくすることができるため、製作費をより安価なものとし、小型化できる効果がある。ただし、プライマリーとセカンダリーの２本を利用しつつ、本実施例を達成してもよい。
【００４４】
次に、図３〜図５を用いて、磁気ディスクドライブ１から光ディスクドライブ２にダビング動作する際のバッファメモリ２１１の動作、電力、本ビデオカメラの内部温度の例を説明する。図３は磁気ディスクドライブ１と光ディスクドライブ２を同時に動作状態にしてダビング動作を行うビデオカメラのダビング動作時の電力量を説明する図、図４はビデオカメラのダビング時のデータ量及び電力量を説明する図、図５はビデオカメラのダビング動作時の内部温度を説明する図である。図４（ａ）はビデオカメラのダビング時のバッファメモリのデータ量、図４（ｂ）は実施例１のビデオカメラのダビング動作時の電力量を示す図である。
【００４５】
図３に示すように磁気ディスクドライブ１と光ディスクドライブ２を同時に動作状態にしてのダビング動作では磁気ディスクドライブ１と光ディスクドライブ２と情報信号記録再生装置３の電力和が本ビデオカメラのダビング動作時の電力となる。例えば、７．６Ｗである。
【００４６】
一方、本実施例のビデオカメラでは、ダビングが開始されると、まず磁気ディスクドライブ１のみを稼動さらに再生状態としてバッファメモリ２１１に記録データを蓄積し、記録データ蓄積量がバッファ上限値Ａ以上になったら（時間ｔ１）磁気ディスクドライブ１を待機状態とするとともに光ディスクドライブ２を稼動さらに記録状態としてバッファメモリ２１１の記録データを掃き出し光ディスク２０１に記録する。その後、バッファメモリ２１１の記録データ蓄積量がバッファ下限値Ｂ未満になったら（時間ｔ２）光ディスクドライブ２を待機状態にするとともに磁気ディスクドライブ１を稼動さらに再生状態としてバッファメモリ２１１に記録データを蓄積する。
【００４７】
このように、磁気ディスクドライブ１と光ディスクドライブ２を交互に動作させているので、本ビデオカメラの電力量は、図４（ｂ）に示すように磁気ディスクドライブ１が記録データの読み出しをしているときには光ディスクドライブ２を低消費電力モードの待機状態にさせるため、磁気ディスクドライブ１と情報信号記録再生装置３の電力和が概ね本ビデオカメラの電力となる。また、光ディスクドライブ２が記録データの書き込みをしているときには磁気ディスクドライブ１を低消費電力モードの待機状態にさせるため、光ディスクドライブ２と情報信号記録再生装置３の電力和が概ね本ビデオカメラの電力となる。
【００４８】
例えば、磁気ディスクドライブ１がデータの読み出しをしている状態（再生モード）では３．２３Ｗ、光ディスクドライブ２が記録データを書き込んでいる状態（記録モード）では５．１５Ｗとなり、ダビング動作中は平均４．１Ｗとなっている。この値は図３で説明した７．６Ｗより小さくなっており、消費電力が低減されたことがわかる。このことは、ビデオカメラ内の温度上昇を抑制することができるとともにバッテリ駆動されるビデオカメラにおいては長時間使用が可能になるという効果もある。
【００４９】
本ビデオカメラの消費電力が低減することより、図５に示すようにビデオカメラの内部の温度上昇は実線のようになり、光ディスクドライブと磁気ディスクドライブを共に動作させるビデオカメラの内部の温度上昇（点線）に比べ内部温度の上昇を大幅に抑制できる。
【００５０】
図６により、ビデオカメラの外観例を説明する。図６はビデオカメラの外観図である。
【００５１】
図６の６０１は磁気ディスクドライブ１及びまたは光ディスクドライブ２の動作状態を示すアクセスランプ、６０２は記録の開始または停止を入力するための記録釦である（図１の２１８に相当）。
【００５２】
磁気ディスクドライブ１が稼動状態または再生状態の時は青色が点滅し、光ディスクドライブ２が稼動状態または記録状態の時は赤色が点滅し、磁気ディスクドライブ１及び光ディスクドライブ２が共に稼動状態または再生、記録状態の時は緑色が点滅する。また、磁気ディスクドライブ１及び光ディスクドライブ２が共に動作していない時は消灯している。
【００５３】
なお、磁気ディスクドライブ１と光ディスクドライブ２の動作状態アクセスランプの色を変え、点滅としたが、アクセスランプの色及び点灯方法はこれに限ったものではなく、変えても構わない。例えば、磁気ディスクドライブ１または光ディスクドライブ２が動作時は赤色に点滅する等でもよいし、点滅でなく点灯でもよい。
【実施例２】
【００５４】
以下、実施例２を図７〜図１１を用いて説明する。
【００５５】
実施例１では、常に光ディスクドライブと磁気ディスクドライブとを交互に動作する例を説明した。実施例２では、条件に応じて、光ディスクドライブと磁気ディスクドライブとを交互に動作する例を説明する。
【００５６】
実施例２のビデオカメラのダビング動作時の動作及び制御処理の流れの例について、図７、図８、図９を用いて説明する。図７は実施例２のビデオカメラのダビング動作時のフローチャート（１）、図８は実施例２のビデオカメラのダビング動作時のフローチャート（２）、図９は本発明の第２の実施例におけるビデオカメラのブロック図である。
【００５７】
まず、実施例２におけるビデオカメラの構成例について、図９のブロック図における図１との相違点を説明する。図９のうち図２と同じブロックには同番号を付して説明を省略する。図９は、図２の温度センサ２０６の代わりに、温度検出部である温度センサ９０６を備える。実施例１との違いは、温度センサの配置位置で、実施例１では光ディスクドライブ１内に配置され主に光ディスクドライブ１内の温度を検出しているが、実施例２では情報信号記録再生装置１３内に配置され主に本ビデオカメラ内の温度を検出している。
【００５８】
次に、バッファメモリ２１１のバッファリング動作を用いたダビング動作を磁気ディスクドライブ１１から光ディスクドライブ１２にダビング動作時の処理の流れ及び動作を図７、図８、図９を用いて説明する。ここで、図７のうち、実施例１の図１と同じステップには同番号を付して、説明を省略する。
【００５９】
本ビデオカメラの電源が入の状態において、ステップ１０１において、ダビング釦２１７が押されるとステップ７０２に遷移する。
【００６０】
ステップ７０２において、システムコントローラ２１２は温度センサ９０６により現在の温度を取得し、ステップ７０３に遷移する。
【００６１】
ステップ７０３において、現在の温度が第３の所定値である温度Ａ以上（例えば、６０℃以上）の場合はステップ７０４に遷移する。上記温度が温度Ａ未満の場合はステップ７０７に遷移する。
【００６２】
ステップ７０４において、磁気ディスクドライブ１１及び光ディスクドライブ１２共に待機状態にある場合にはステップ７０５に遷移する。磁気ディスクドライブ１１及び光ディスクドライブ１２共に待機状態にない場合すなわち磁気ディスクドライブ１１及び光ディスクドライブ１２の両装置またはどちらか１つの装置が動作状態にある場合にはステップ７０６に遷移する。
【００６３】
ステップ７０６において、磁気ディスクドライブ１１及び光ディスクドライブ１２共に待機状態にしステップ７０２に遷移し、この処理を繰り返し内部温度が温度Ａ未満となるまで待つ。ここで、内部温度が温度Ａ以上の場合、磁気ディスクドライブ１１または光ディスクドライブ１２の記録再生性能が大きく低下するため、磁気ディスクドライブ１１及び光ディスクドライブ１２を共に停止状態とし、内部温度が低下するのを待つようにしている。
【００６４】
ステップ７０５において、磁気ディスクドライブ１１及び光ディスクドライブ１２の待機時間が第４の所定値である時間Ａ未満（例えば、１分未満）であれば、ステップ７０６に遷移する。磁気ディスクドライブ１１及び光ディスクドライブ１２の待機時間が時間Ａ以上（例えば、１分以上）であれば、ステップ７０８に遷移する。このように、磁気ディスクドライブ１１及び光ディスクドライブ１２の両装置を待機状態にする期間を時間Ａで区切ることにより、長時間のダビング停止によるユーザの使い勝手の悪化を防止している。なお、本実施例では時間Ａはビデオカメラが待機状態時の内部温度の変化具合から求めるようにしており、時間Ａを１分としたが、違う値でも構わない。
【００６５】
ステップ７０７において、上記によって取得された上記温度が第５の所定値である温度Ｂ以上（例えば、４５℃以上）かを判定する。ここで、上記温度が第５の所定値である温度Ｂ未満の場合には、図８のステップ８０１に遷移する。
【００６６】
ステップ８０１において、システムコントローラ２１２は光ドライブコントローラ２０７及び磁気ドライブコントローラ２２４に対して起動命令の発行を行い、光ドライブコントローラ２０７及び磁気ドライブコントローラ２２４は、光スピンドルモータ制御回路２０３により光スピンドルモータ２０２を所定の回転速度で回転させるとともに磁気スピンドルモータ制御回路２２１により磁気スピンドルモータ２２０を所定の回転速度で回転させ光ディスクドライブ１２及び磁気ディスクドライブ１１を即座に稼動状態へと遷移させ、ステップ８０２に遷移する。ここで、光ディスクドライブ１２及びまたは磁気ディスクドライブ１１が稼動状態にある場合は、稼動している装置は稼動状態を維持し稼動していない装置を稼動させることとする。
【００６７】
ステップ８０２において、磁気ドライブコントローラ２２４は、システムコントローラ２１２から発行された再生開始命令により磁気ヘッド制御回路２２３、磁気メモリ２１０等を駆動して再生状態（再生モード）へ遷移させ磁気ディスク２１９に記録されているデータを読み取り、システムコントローラ２１２を介してバッファメモリメモリ２１１に記録データとして蓄積し、ステップ８０３に遷移する。
【００６８】
ステップ８０３において、バッファメモリ２１１へのデータ蓄積量が第３の所定値であるバッファメモリ値がＣ以上（例えば、５ＭＢ以上）であるかを判定する。ここで、バッファメモリ２１１のデータ蓄積量がバッファメモリ値Ｃ以上の場合はステップ８０４に遷移する。バッファメモリ２１１のデータ蓄積量がバッファメモリ値Ｃ未満の場合はステップ８０５に遷移する。
【００６９】
ステップ８０５において、磁気ディスクドライブ１のダビングを行うデータがなくなった場合、ステップ８０６に遷移する。磁気ディスクドライブ１のダビングを行うデータがある場合には、再びステップ８０２に遷移する。
【００７０】
ステップ８０４において、バッファメモリ２１１に蓄積された記録データを掃き出しシステムコントローラ２１２を介して光ディスクドライブ１２に送り込み、光ドライブコントローラ２０７は、システムコントローラ２１２から発行された記録開始命令により、光ヘッド制御回路２０５及び光ヘッド２０４を駆動して光ディスクドライブ１２を即座に記録状態（記録モード）へと遷移させ、システムコントローラ２１２より送信されてきた記録データを光ディスク２０１へ記録し、再び図７のステップ７０２に遷移し、ダビング動作を繰り返す。
【００７１】
本実施例では、磁気ディスクドライブ１１の再生状態におけるデータの読み取り速度と光ディスクドライブ１２へのデータ記録速度とを速度の遅い方に合わせて同じ速度としている。そのため、再度、ステップ７０２で温度センサ９０６により取得した現在の温度が温度Ｂ未満の場合、ステップ７０３、７０７、８０１、８０２の処理を経由してステップ８０３に遷移した際、バッファメモリのデータ蓄積量は減らないのでバッファメモリ値Ｃ以上となっており、ステップ８０２からステップ８０４の一連のバッファメモリ２１１への書き込み及び掃き出しは同時に処理していることになる。このため、磁気ディスクドライブ１１は常に再生状態にあり光ディスクドライブ１２も常に記録状態となり高速ダビングが可能となる。
【００７２】
ステップ８０６において、バッファメモリ２１１の記録データ蓄積量が０になるまで掃き出し、磁気ディスクドライブ１１のダビングするデータを光ディスクドライブ１２の光ディスク２０１へすべてダビングした場合は、システムコントローラ２１２はユーザが要求したデータを全てダビングしたと判定し、ダビング動作を終了する。
【００７３】
ステップ７０７において、温度センサ９０６により取得された温度が温度Ｂ以上の場合はステップ１０２に遷移する。
【００７４】
このように、動作していない側のドライブを低消費電力モードにすることにより、装置内の温度上昇を抑制することができる。特に、記録側の光ディスクドライブ２の光ヘッド部２０４のレーザーを待機状態時には停止するため、消費電力の低減には効果が大きい。
【００７５】
次に、図１０、図１１を用いて、磁気ディスクドライブ１１から光ディスクドライブ１２にダビング動作する際の電力、本ビデオカメラの内部温度について説明する。図１０は実施例２におけるビデオカメラのダビング動作時の電力量を説明する図、図１１は実施例２におけるビデオカメラのダビング動作時の内部温度を説明する図である。
【００７６】
図１１に示す本ビデオカメラの内部温度が温度Ｂ未満（例えば、４５℃未満）の場合、図１０に示すように、本ビデオカメラの電力は、磁気ディスクドライブ１１と光ディスクドライブ１２を同時に動作状態にさせてダビング動作を行うため、磁気ディスクドライブ１１と光ディスクドライブ１２と情報信号記録再生装置１３の電力和が本ビデオカメラの電力量（例えば、７．６Ｗ）となる。その後、磁気ディスクドライブ１１と光ディスクドライブ１２の同時動作により内部温度が上昇し、図１１に示す内部温度が温度Ｂ以上で、かつ温度Ａ未満（例えば、６０℃未満）になった場合、図１０に示すように、磁気ディスクドライブ１１と光ディスクドライブ１２を交互に動作させ動作していない側のドライブを低消費電力モードにしてダビング動作を行うため、磁気ディスクドライブ１１または光ディスクドライブ１２と情報信号記録再生装置１３の電力和が概ね本ビデオカメラの電力量（例えば、４．１Ｗ）となる。そして、交互動作及びまたは外部温度の上昇により内部温度が上昇し、図１１に示す内部温度が温度Ａ以上（例えば、６０℃以上）になった場合、本ビデオカメラの電力は、磁気ディスクドライブ１１と光ディスクドライブ１２を共に待機状態状態とするため、情報信号記録再生装置１３の電力が概ね本ビデオカメラの電力（例えば、２．５Ｗ）となり、内部の温度上昇が低下する。
【００７７】
内部温度が低いときは磁気ディスクドライブ１１及び光ディスクドライブ１２の両装置を同時に動作させ高速ダビングができ、温度Ｂ以上に内部温度が上昇すると光ディスクドライブ１２と磁気ディスクドライブ１１を交互に動作させることにより省電力し温度上昇を抑制する。さらに温度Ａ以上に内部温度が上昇すると光ディスクドライブ１２と磁気ディスクドライブ１３を共に待機状態にすることにより、温度上昇による性能劣化した状態でダビングすることを防止できる。
【００７８】
温度Ａ以上に内部温度が上昇したときに表示される表示画面例を図１２を用いて説明する。図１２は、実施例２におけるビデオカメラの表示画面例である。
【００７９】
図１１の温度Ａ以上に内部温度が上昇し、光ディスクドライブ１２と磁気ディスクドライブ１３を共に待機状態とする場合、図１２に示すように「温度上昇のため、ダビングすることができません。」の表示画面が出力される。この表示画面を出力することにより、ユーザにダビングが停止していることを知らせることができる。また、他の温度の閾値において動作が変わるときに、温度上昇による警告を表示画面に出力してもよい。
【００８０】
以上、実施例１及び２を説明した。実施例１と実施例２は独立ではなく、互いに織り交ぜて実施可能である。例えば、実施例１の図２の温度センサ２０６を図９に備えてもよい。また図１のステップ１０８から１１０を図７（例えばステップ１０７と１１１の間）や図８（例えばステップ８０１とステップ８０２の間）で実施してもよい。
【００８１】
上記実施例１及び２では、磁気ディスクドライブから光ディスクドライブへのダビングを例示したが、光ディスクドライブから磁気ディスクドライブへのダビングでもよい。
【００８２】
また、バッファメモリに蓄える記録データ蓄積量の閾値Ａ、Ｂ、Ｃを温度上昇の度合い等により適応的に変化させてもよい。例えば、ある一定以上の温度上昇があった場合、バッファメモリに蓄える記録データ蓄積量の閾値Ａ、Ｂ、Ｃを下げる。
【００８３】
また、一方の装置が動作している最中はもう一方の装置を待機状態としたが、電力供給を遮断するなどの停止状態でも構わない。温度上昇の度合いによって待機状態または電力供給の遮断を適応的に変化させてもよい。停止状態の種類によってダビング転送時間や温度上昇の抑制度合いが変わる。例えば、電力供給を遮断した場合、待機状態に比べ温度上昇を抑制できるが、ダビングの転送速度は低下する。
【００８４】
また、ダビング時の動作について説明したが、データ移動時にも適用できる。なお、ダビングとは映像や音楽等のデータをオリジナルのメディアから別のメディアにコピーすることであり、データ移動はこれに限らず映像や音楽等のデータをオリジナルのメディアから別のメディアに複製することなく移すことも含まれる。
【００８５】
また、磁気ディスクドライブ１と光ディスクドライブ２との組合せを説明したが、複数個の記録再生部から複数個の記録再生部へダビングについても適応できる。また、磁気ディスクドライブと光ディスクドライブとの組合せに限定されない。例えば一方又は他方の記録再生部が、メモリカードや内蔵型半導体メモリ等であってもよい。また、一方は再生専用部、他方は記録専用部のように両方が記録再生の兼用部である必要はない。
【図面の簡単な説明】
【００８６】
【図１】実施例１のビデオカメラのダビング動作時の処理例を示すフローチャート
【図２】実施例１のビデオカメラの構成例を示すブロック図
【図３】ビデオカメラのダビング動作時の電力量例を模式的に示す図
【図４】実施例１のビデオカメラのダビング時のデータ量例及び電力量例を模式的に示す図
【図５】実施例１のビデオカメラのダビング動作時の内部温度例を模式的に示す図
【図６】ビデオカメラの外観例を示す斜方図
【図７】実施例２のビデオカメラのダビング動作時の処理例を示すフローチャート（１）
【図８】実施例２のビデオカメラのダビング動作時の処理例を示すフローチャート（２）
【図９】実施例２のビデオカメラの構成例を示すブロック図
【図１０】実施例２のビデオカメラのダビング動作時の電力量例を模式的に示す図
【図１１】実施例２のビデオカメラのダビング動作時の内部温度例を模式的に示す図
【図１２】ビデオカメラの表示画面例を示す図
【符号の説明】
【００８７】
１…磁気ディスクドライブ、２…光ディスクドライブ、３…情報信号記録再生装置、２０１…光ディスク、２０２…光スピンドルモータ、２０３…光スピンドルモータ制御回路
、２０４…光ヘッド部、２０５…光ヘッド制御回路、２０６…温度センサ、２０７…光ドライブコントローラ、２０８…光メモリ、２０９…エンコーダ／デコーダ／信号処理回路
、２１０…磁気メモリ、２１１…バッファメモリ、２１２…システムコントローラ、２１３…電源供給制御回路、２１４…圧縮伸張回路、２１５…マイク、２１６…撮像回路、２１７…ダビング釦、２１８…記録釦、２１９…磁気ディスク、２２０…磁気スピンドルモータ、２２１…磁気スピンドルモータ制御回路、２２２…磁気ヘッド部、２２３…磁気ヘッド制御回路、２２４…磁気ドライブコントローラ、６０１…アクセスランプ、６０２…記録釦、９０６…温度センサ
【図１】
2008027567.tif 000003
【図２】
2008027567.tif 000004
【図３】
2008027567.tif 000005
【図４】
2008027567.tif 000006
【図５】
2008027567.tif 000007
【図６】
2008027567.tif 000008
【図７】
2008027567.tif 000009
【図８】
2008027567.tif 000010
【図９】
2008027567.tif 000011
【図１０】
2008027567.tif 000012
【図１１】
2008027567.tif 000013
【図１２】
2008027567.tif 000014